(57)【要約】【課題】  携帯電話において、電池パックを比較的大型化することができるようにする。【解決手段】  組立てに際し、メイン回路基板４１をやや斜めとした状態で矢印Ａで示す方向に移動させ、メイン回路基板４１の先端部に設けられた外部接続用コネクタ４４をフロントケース２１の外部接続用コネクタ挿通用貫通孔２５内に挿通する。この場合、タッチパネル用フレキシブル配線板２、液晶表示パネル用フレキシブル配線板１２およびサブ回路基板３１はある程度の余長部分を有し、その各コネクタ４、１５、３９はメイン回路基板４１の一端部下面に接続されている。これにより、メイン回路基板４１の一端部上面を電池パック実装領域とすることができ、ひいては電池パックを比較的大型化することができる。【選択図】図１２
2013005246.tif 000002
【特許請求の範囲】
【請求項１】
フロントケースと、前記フロントケースの上面に設けられた液晶表示パネルユニットと、前記液晶表示パネルユニットの上面側において前記フロントケースの上面に設けられたタッチパネルスクリーンと、前記フロントケースの下面に設けられたリアケースと、前記液晶表示パネルユニットと前記リアケースとの間に設けられたメイン回路基板と、前記メイン回路基板の上面に設けられた電池パックと、一端部を前記液晶表示パネルユニットに接続され、余長部分を有し且つ１８０°折り曲げられ、他端部に設けられたコネクタを前記メイン回路基板の一端部下面に設けられた液晶表示パネル用コネクタに接続された液晶表示パネル用フレキシブル配線板と、一端部を前記タッチパネルスクリーンに接続され、余長部分を有し且つ１８０°折り曲げられ、他端部に設けられたコネクタを前記メイン回路基板の一端部下面に設けられたタッチパネルル用コネクタに接続されたタッチパネル用フレキシブル配線板とを備えていることを特徴とする携帯型電子機器。
【請求項２】
前記メイン回路基板の他端部に外部接続用コネクタが設けられ、前記外部接続用コネクタは前記フロントケースに設けられた外部接続用コネクタ挿通用貫通孔に挿通されていることを特徴とする請求項１に記載の携帯型電子機器。
【請求項３】
前記液晶表示パネル用フレキシブル配線板および前記タッチパネル用フレキシブル配線板は、前記フロントケースに設けられたフレキシブル配線板挿通用スリットに挿通されていることを特徴とする請求項１または２に記載の携帯型電子機器。
【請求項４】
前記フロントケースの一端部下面にサブ回路基板が設けられ、前記サブ回路基板は余長部分を有し且つ１８０°折り曲げられ、その先端部に設けられたコネクタが前記メイン回路基板の一端部下面に設けられたサブ回路基板用コネクタに接続されていることを特徴とする請求項１〜３のいずれかに記載の携帯型電子機器。
【請求項５】
前記液晶表示パネル用フレキシブル配線板に設けられた電気部品と前記タッチパネル用フレキシブル配線板に設けられた電気部品とは互いに重ならない位置に配置されていることを特徴とする請求項１〜４のいずれかに記載の携帯型電子機器。
【発明の詳細な説明】
【技術分野】
【０００１】
この発明は携帯電話等の携帯型電子機器に関する。
【背景技術】
【０００２】
例えば、従来の携帯電話には、例えば特許文献１に記載のように、ケース内に板金が設けられ、板金下に回路基板が設けられ、板金上に液晶モジュールが設けられ、液晶モジュール上にタッチパネルが設けられ、液晶モジュールの一端部にフレキシブル配線板の一端部が接続され、フレキシブル配線板の途中が１８０°折り曲げられ、フレキシブル配線板の他端部が回路基板下に設けられたコネクタに接続されたものがある。この場合、タッチパネルはケースの上面に露出されている。
【０００３】
また、従来の他の携帯電話には、例えば特許文献２に記載のように、上筐体上に回路基板が設けられ、回路基板上にマグネシウム筐体が設けられ、マグネシウム筐体上に下筐体が設けられ、下筐体上に電池パックが設けられ、その上に電池カバーが設けられたものがある。この場合、回路基板の端部と下筐体の端部との間には外部接続用コネクタが回路基板に接続されて設けられている。外部接続用コネクタは、その外側に設けられた外部接続用コネクタカバーが開かれたとき、外部に露出される。
【先行技術文献】
【特許文献】
【０００４】
【特許文献１】特開２０１０−２３９３２３号公報
【特許文献２】特開２００５−１２３４６９号公報
【発明の概要】
【発明が解決しようとする課題】
【０００５】
ところで、上記のような携帯電話では、液晶モジュールやタッチパネルをそれ専用のフレキシブル配線板を介して回路基板に接続する必要があり、また外部接続用コネクタを回路基板に接続する必要があり、さらに外部接続用コネクタカバーが開かれたとき外部接続用コネクタが外部に露出されるようにする必要があり、これらの点に制約を受ける組立方法に起因して、後述の如く電池パックを比較的小型化せざるを得ないという問題がある。
【０００６】
そこで、この発明は、電池パックを比較的大型化することができる携帯型電子機器を提供することを目的とする。
【課題を解決するための手段】
【０００７】
この発明に係る携帯型電子機器は、フロントケースと、前記フロントケースの上面に設けられた液晶表示パネルユニットと、前記液晶表示パネルユニットの上面側において前記フロントケースの上面に設けられたタッチパネルスクリーンと、前記フロントケースの下面に設けられたリアケースと、前記液晶表示パネルユニットと前記リアケースとの間に設けられたメイン回路基板と、前記メイン回路基板の上面に設けられた電池パックと、一端部を前記液晶表示パネルユニットに接続され、余長部分を有し且つ１８０°折り曲げられ、他端部に設けられたコネクタを前記メイン回路基板の一端部下面に設けられた液晶表示パネル用コネクタに接続された液晶表示パネル用フレキシブル配線板と、一端部を前記タッチパネルスクリーンに接続され、余長部分を有し且つ１８０°折り曲げられ、他端部に設けられたコネクタを前記メイン回路基板の一端部下面に設けられたタッチパネルル用コネクタに接続されたタッチパネル用フレキシブル配線板とを備えていることを特徴とするものである。
【発明の効果】
【０００８】
この発明によれば、電池パックを比較的大型化することができる。
【図面の簡単な説明】
【０００９】
【図１】この発明の一実施形態としての携帯電話の要部の分解斜視図。
【図２】タッチパネルスクリーンを説明するために示す斜視図。
【図３】液晶表示パネルユニットを説明するために示す斜視図。
【図４】フロントケースを説明するために示す下面側から見た斜視図およびその一部の拡大斜視図。
【図５】サブ回路基板を説明するために示す斜視図。
【図６】（Ａ）はメイン回路基板を説明するために示す斜視図、（Ｂ）はその下面側から見た斜視図。
【図７】図１に示す部品等を組立てた状態における一部の断面図。
【図８】図１に示す部品等の組立てに際し、当初の組立工程の斜視図。
【図９】図８に続く組立工程の斜視図。
【図１０】図９に続く組立工程の斜視図。
【図１１】図１０に続く組立工程の斜視図。
【図１２】図１１に続く組立工程の斜視図。
【図１３】全て組立てた状態におけるタッチパネル用フレキシブル配線板の部分の断面図。
【図１４】全て組立てた状態における液晶表示パネル用フレキシブル配線板の部分の断面図。
【図１５】全て組立てた状態におけるサブ回路基板の部分の断面図。
【発明を実施するための形態】
【００１０】
図１はこの発明の一実施形態としての携帯電話の要部の分解斜視図を示す。この携帯電話は、タッチパネルスクリーン１、液晶表示パネルユニット１１、フロントケース２１、サブ回路基板３１、メイン回路基板４１、電池パック５１、リアケース６１等を備えている。
【００１１】
次に、図２はタッチパネルスクリーン１を説明するために示す斜視図である。タッチパネルスクリーン１の一端部の中央部下面にはタッチパネル用フレキシブル配線板２の一端部が接続されている。ここで、タッチパネル用フレキシブル配線板２の一端部のタッチパネルスクリーン１への実際の接続については後で説明する。タッチパネル用フレキシブル配線板２の上面の所定の箇所にはタッチパネル用電気部品３が設けられている。タッチパネル用フレキシブル配線板２の他端部上面にはタッチパネル用コネクタ４が設けられている。
【００１２】
次に、図３は液晶表示パネルユニット１１を説明するために示す斜視図である。液晶表示パネルユニット１１の一端部の中央部には液晶表示パネル用フレキシブル配線板１２の一端部が接続されている。液晶表示パネル用フレキシブル配線板１２の上面の所定の箇所には液晶表示パネル用電気部品１３が設けられている。液晶表示パネル用フレキシブル配線板１２の上面の他の所定の箇所にはバックライト用フレキシブル配線板１４の他端部が圧着されている。バックライト用フレキシブル配線板１４の一端部は、液晶表示パネルユニット１１内のバックライト（図示せず）に接続されている。液晶表示パネル用フレキシブル配線板１２の他端部上面には液晶表示パネル用コネクタ１５が設けられている。
【００１３】
次に、図４はフロントケース２１を説明するために示す下面側から見た斜視図およびその一部の拡大斜視図である。フロントケース２１の下面（図４では上面）外周部にはリング状の防水パッキン用溝２２が設けられている。防水パッキン用溝２２内には防水パッキン２３が圧入されている。フロントケース２１の一端部にはフレキシブル配線板挿通用スリット２４が設けられている。フロントケース２１の他端部の側壁の所定の箇所には外部接続用コネクタ挿通用貫通孔２５が設けられている。
【００１４】
次に、図５はサブ回路基板３１を説明するために示す斜視図である。サブ回路基板３１は、第１の基板部３２と、第１の基板部３１２一端部に下方に折り曲げられて設けられたマイク３３用の第２の基板部３４と、第１の基板部３２の他端部に９０°折り曲げられて設けられた第３の基板部３５と、第３の基板部３５の先端部に９０°折れ曲げられて設けられた第４の基板部３６とを備えている。第１の基板部３２の上面には、フロントケース２１の一端部の所定の３箇所に設けられるキー（図示せず）に対応するキーランド３７およびキーを照明するためのＬＥＤ３８が設けられている。第４の基板部３６の上面にはサブ回路基板用コネクタ３９が設けられている。
【００１５】
次に、図６（Ａ）はメイン回路基板４１を説明するために示す斜視図であり、図６（Ｂ）はその下面側から見た斜視図である。図６（Ａ）に示すように、メイン回路基板４１の上面の平行な斜線で示す約２／３の領域は電池パック実装領域となっている。メイン回路基板４１の上面の×印の斜線で示す残りの約１／３の領域は電池端子４２、カードコネクタ４３等の電気部品の実装可能領域となっている。図６（Ｂ）に示すように、メイン回路基板４１の下面の×印の斜線で示す領域は電気部品の実装可能領域となっている。メイン回路基板４１の一端部の所定の箇所には外部接続用コネクタ４４が設けられている。
【００１６】
次に、図７は、図１に示す部品を組立てた状態における一部（すなわち外部接続用コネクタの部分）の断面図を示す。フロントケース２１の下側にはリアケース６１が設けられている。この状態では、フロントケース２１とリアケース６１との間は防水パッキン２３によって防水されている。フロントケース２１の上面にはタッチパネルスクリーン１が設けられている。
【００１７】
フロントケース２１とリアケース６１との間にはメイン回路基板４１が設けられている。メイン回路基板４１の一端部に設けられた外部接続用コネクタ４４はフロントケース２１の外部接続用コネクタ挿通用貫通孔２５内に挿通され、その先端部は外部接続用コネクタ挿通用貫通孔２５の外側に突出されている。外部接続用コネクタ挿通用貫通孔２５の外側におけるフロントケース２１には、防水パッキン６２を有するコネクタカバー６３が開閉可能に設けられている。
【００１８】
次に、この携帯電話の一部の組立てについて説明する。まず、図８に示すように、裏返しとしたフロントケース２１の上面においてフレキシブル配線板挿通用スリット２４の近傍の所定の箇所に、裏返しとしたサブ回路基板３１の第１の基板部３２を両面接着テープ（図示せず）を介して貼り付ける。
【００１９】
次に、図９に示すように、フロントケース２１の上下を反転し、この上下を反転したフロントケース２１の上面の所定の箇所に液晶表示パネルユニット１１を組み込む。この場合、液晶表示パネル用フレキシブル配線板１２はフロントケース２１のフレキシブル配線板挿通用スリット２４を介してフロントケース２１の下面側に突出させる。
【００２０】
次に、図１０に示すように、液晶表示パネルユニット１１の上面にタッチパネルスクリーン１を配置し、タッチパネルスクリーン１の外周部下面の所定の箇所を両面接着テープ（図示せず）を介してフロントケース２１の上面に貼り付ける。この場合、タッチパネル用フレキシブル配線板２はフロントケース２１のフレキシブル配線板挿通用スリット２４を介してフロントケース２１の下面側に突出させる。
【００２１】
次に、図１１に示すように、フロントケース２１の上下を反転し、メイン回路基板４１をその下面を手前側として垂直に立てた状態でフロントケース２１のフレキシブル配線板挿通用スリット２４の近傍に配置し、メイン回路基板４１の下面下端部に設けられた３つのコネクタ（図示せず）にタッチパネル用フレキシブル配線板２のタッチパネル用コネクタ４、液晶表示パネル用フレキシブル配線板１２の液晶表示パネル用コネクタ１５およびサブ回路基板３１のサブ回路基板用コネクタ３９をそれぞれ接続する。この場合、タッチパネル用フレキシブル配線板２に設けられた電気部品３（図２参照）と液晶表示パネル用フレキシブル配線板１２に設けられた電気部品１３（図３参照）とが互いに重ならないようにすると、装置厚さが増加しないようにすることができる。
【００２２】
次に、図１２に示すように、フロントケース２１を水平面において１８０°回転させ、メイン回路基板４１を倒してやや斜めとした状態で矢印Ａで示す方向に移動させ、メイン回路基板４１の先端部に設けられた外部接続用コネクタ４４をフロントケース２１の外部接続用コネクタ挿通用貫通孔２５内に挿通し、その先端部を外部接続用コネクタ挿通用貫通孔２５の外側に突出させ、この後メイン回路基板４１を下げてフロントケース２１上に配置する。
【００２３】
かくして、フロントケース２１にタッチパネル用フレキシブル配線板２を含むタッチパネルスクリーン１、液晶表示パネル用フレキシブル配線板１２を含む液晶表示パネルユニット１１、サブ回路基板３１およびメイン回路基板４１が組み込まれる。
【００２４】
次に、図１３〜図１５はそれぞれ、さらに電池パック５１、リアケース６１等を組立てた状態におけるタッチパネル用フレキシブル配線板２の部分、液晶表示パネル用フレキシブル配線板１２の部分およびサブ回路基板３１の部分の各断面図を示す。
【００２５】
まず、図１３に示すように、タッチパネル用フレキシブル配線板２の一端部はタッチパネルスクリーン１の上面において所定の端部よりも中央部側（図１３において左側）にやや離れた部分に接続されている。タッチパネル用フレキシブル配線板２の他端部に設けられたタッチパネル用コネクタ４はメイン回路基板４１の下面に設けられたコネクタ４５に接続されている。そして、タッチパネル用フレキシブル配線板２は、点線で示す最小限必要な長さよりもある程度長くなっており、途中において１８０°折り曲げられている。すなわち、タッチパネル用フレキシブル配線板２はある程度の余長部分を有している。これは、図１１および図１２に示す組立工程を容易とするためである。
【００２６】
次に、図１４に示すように、液晶表示パネル用フレキシブル配線板１２の他端部に設けられた液晶表示パネル用コネクタ１５はメイン回路基板４１の下面に設けられたコネクタ４６に接続されている。そして、液晶表示パネル用フレキシブル配線板１２は、点線で示す最小限必要な長さよりもある程度長くなっており、途中において１８０°折り曲げられている。すなわち、液晶表示パネル用フレキシブル配線板１２もある程度の余長部分を有している。これは、図１１および図１２に示す組立に示す工程を容易とするためである。
【００２７】
次に、図１５に示すように、サブ回路基板３１の他端部に設けられたサブ回路基板用コネクタ３９はメイン回路基板４１の下面に設けられたコネクタ４７に接続されている。そして、サブ回路基板３１は、点線で示す最小限必要な長さよりもある程度長くなっており、途中において１８０°折り曲げられている。すなわち、サブ回路基板３１もある程度の余長部分を有している。これは、図１１および図１２に示す組立に示す工程を容易とするためである。
【００２８】
ところで、図１２に示すように、メイン回路基板４１を倒してやや斜めとした状態で矢印Ａで示す方向に移動させ、メイン回路基板４１の先端部に設けられた外部接続用コネクタ４４をフロントケース２１の外部接続用コネクタ挿通用貫通孔２５内に挿通し、その先端部を外部接続用コネクタ挿通用貫通孔２５の外側に突出させている。したがって、タッチパネル用フレキシブル配線板２、液晶表示パネル用フレキシブル配線板１２およびサブ回路基板３１がある程度の余長部分を有していない場合には、上記のようなメイン回路基板４１の組込みを行うことはできない。
【００２９】
すなわち、タッチパネル用フレキシブル配線板２、液晶表示パネル用フレキシブル配線板１２およびサブ回路基板３１の長さが最小限必要な長さである場合には、上記のようなメイン回路基板４１の組込みを行うことはできない。そこで、タッチパネル用フレキシブル配線板２、液晶表示パネル用フレキシブル配線板１２およびサブ回路基板３１の長さが最小限必要な長さである場合には、図１２を参照して説明すると、メイン回路基板４１をフロントケース２１上に配置した後に、タッチパネル用フレキシブル配線板２、液晶表示パネル用フレキシブル配線板１２およびサブ回路基板３１の各コネクタ４、１５、３９をメイン回路基板４１の一端部上面に設けられた各コネクタにそれぞれ接続することになる。
【００３０】
しかしながら、このような組立方法では、各コネクタ４、１５、３９をメイン回路基板４１の一端部上面に設けられた各コネクタにそれぞれ接続するため、メイン回路基板４１の一端部上面を電池パック実装領域（図６（Ａ）において平行な斜線で示す領域）として使用することができなくなってしまう。したがって、このような場合には、電池パックとして比較的小型のものを使用することになる。
【００３１】
これに対し、上記実施形態では、タッチパネル用フレキシブル配線板２、液晶表示パネル用フレキシブル配線板１２およびサブ回路基板３１がある程度の余長部分を有し、各コネクタ４、１５、３９をメイン回路基板４１の一端部下面に設けられた各コネクタにそれぞれ接続することができるので、メイン回路基板４１の一端部上面を電池パック実装領域として使用することができ、ひいては電池パック５１として比較的大型のものを使用することができる。
【００３２】
なお、この発明は、携帯電話に限らず、ＰＨＳ（Personal Handyphone System）、ＰＤＡ（Personal Data Assistance, Personal Digital Assistance:個人向け携帯型情報通信機器）等の携帯端末機器等の電子機器にも適用することができる。
【００３３】
以下、この発明の諸態様を付記としてまとめて記載する。
【００３４】
（付記１）
付記１の発明は、フロントケースと、前記フロントケースの上面に設けられた液晶表示パネルユニットと、前記液晶表示パネルユニットの上面側において前記フロントケースの上面に設けられたタッチパネルスクリーンと、前記フロントケースの下面に設けられたリアケースと、前記液晶表示パネルユニットと前記リアケースとの間に設けられたメイン回路基板と、前記メイン回路基板の上面に設けられた電池パックと、一端部を前記液晶表示パネルユニットに接続され、余長部分を有し且つ１８０°折り曲げられ、他端部に設けられたコネクタを前記メイン回路基板の一端部下面に設けられた液晶表示パネル用コネクタに接続された液晶表示パネル用フレキシブル配線板と、一端部を前記タッチパネルスクリーンに接続され、余長部分を有し且つ１８０°折り曲げられ、他端部に設けられたコネクタを前記メイン回路基板の一端部下面に設けられたタッチパネルル用コネクタに接続されたタッチパネル用フレキシブル配線板とを備えていることを特徴とする携帯型電子機器である。
【００３５】
（付記２）
前記メイン回路基板の他端部に外部接続用コネクタが設けられ、前記外部接続用コネクタは前記フロントケースに設けられた外部接続用コネクタ挿通用貫通孔に挿通されていることを特徴とする付記１に記載の携帯型電子機器である。
【００３６】
（付記３）
付記３の発明は、前記液晶表示パネル用フレキシブル配線板および前記タッチパネル用フレキシブル配線板は、前記フロントケースに設けられたフレキシブル配線板挿通用スリットに挿通されていることを特徴とする付記１または２に記載の携帯型電子機器である。
【００３７】
（付記４）
付記４の発明は、前記フロントケースの一端部下面にサブ回路基板が設けられ、前記サブ回路基板は余長部分を有し且つ１８０°折り曲げられ、その先端部に設けられたコネクタが前記メイン回路基板の一端部下面に設けられたサブ回路基板用コネクタに接続されていることを特徴とする付記１〜３のいずれかに記載の携帯型電子機器である。
【００３８】
（付記５）
付記５の発明は、前記液晶表示パネル用フレキシブル配線板に設けられた電気部品と前記タッチパネル用フレキシブル配線板に設けられた電気部品とは互いに重ならない位置に配置されていることを特徴とする付記１〜４のいずれかに記載の携帯型電子機器である。
【符号の説明】
【００３９】
１  タッチパネルスクリーン
２  タッチパネル用フレキシブル配線板
４  タッチパネル用コネクタ
１１  液晶表示パネルユニット
１２  液晶表示パネル用フレキシブル配線板
１５  液晶表示パネル用コネクタ
２１  フロントケース
２４  フレキシブル配線板挿通用スリット
２５  外部接続用コネクタ挿通用貫通孔
３１  サブ回路基板
３９  サブ回路基板用コネクタ
４１  メイン回路基板
４４  外部接続用コネクタ
５１  電池パック
６１  リアケース
【図１】
2013005246.tif 000003
【図２】
2013005246.tif 000004
【図３】
2013005246.tif 000005
【図４】
2013005246.tif 000006
【図５】
2013005246.tif 000007
【図６】
2013005246.tif 000008
【図７】
2013005246.tif 000009
【図８】
2013005246.tif 000010
【図９】
2013005246.tif 000011
【図１０】
2013005246.tif 000012
【図１１】
2013005246.tif 000013
【図１２】
2013005246.tif 000014
【図１３】
2013005246.tif 000015
【図１４】
2013005246.tif 000016
【図１５】
2013005246.tif 000017